(57)【要約】【課題】複数のアンテナを有効に活用して、より高い受信環境を実現する。【解決手段】複数のアンテナ１２〜１４と、これら複数のアンテナ１２〜１４を単独あるいは組合せて選択するセレクタ３２と、選択したアンテナの受信信号を増幅して出力するＴＶアンプ１９と、セレクタ３２が選択するアンテナの内容を切換えさせるデコーダ３３とを備える。【選択図】　　図１
2004120654.tif 000002
【特許請求の範囲】
【請求項１】
複数のアンテナと、
これら複数のアンテナを単独あるいは組合せて選択する選択手段と、
この選択手段で選択したアンテナの受信信号を出力する出力手段と、
上記選択手段が選択するアンテナの内容を切換えさせる切換制御手段と
を具備したことを特徴とするダイバシティ受信装置。
【請求項２】
上記複数のアンテナのうちの少なくとも１つは、受信信号の位相を調整させる位相調整手段を有し、
上記選択手段は、上記位相調整手段の介在の有無により当該位相調整手段を有したアンテナの受信信号を異なるアンテナの受信信号として取扱う
ことを特徴とする請求項１記載のダイバシティ受信装置。
【請求項３】
複数のアンテナを単独あるいは組合せて選択する選択工程と、
この選択工程で選択したアンテナの受信信号を出力する出力工程と、
上記選択工程で選択するアンテナの内容を切換えさせる切換制御工程と
を有したことを特徴とするダイバシティ受信方法。
【発明の詳細な説明】
【０００１】
【発明の属する技術分野】
本発明は、複数のアンテナを切換えて最適な受信環境を選択する空間ダイバシティ方式のダイバシティ受信装置及び方法に関する。
【０００２】
【従来の技術】
従来のダイバシティ受信装置で使用されているセレクタアンプの構成を図１０、図１１に例示する。
【０００３】
図１０は、ＦＭ−ＶＩＣＳ（ＦＭ道路交通情報通信システム）用及びテレビ用のセレクタアンプの回路構成を示すものである。同図で、ＦＭ−ＶＩＣＳ用アンテナ１１と３本のテレビ用アンテナ１２〜１４とがセレクタアンプ１５に接続される。
【０００４】
このセレクタアンプ１５は、内部にＦＭアンプ１６、セレクタ１７、デコーダ１８、及びＴＶアンプ１９を備える。
【０００５】
ＦＭ−ＶＩＣＳ用アンテナ１１で受信されたＦＭ（多重）放送の信号は直接ＦＭアンプ１６で増幅されてＦＭ−ＶＩＣＳ用出力端子「ＦＭ−ＶＩＣＳ　ＯＵＴ」より出力される。
【０００６】
テレビ用アンテナ１２〜１４で受信された各テレビ放送信号は、共にセレクタ１７に入力される。このセレクタ１７は、デコーダ１８から与えられる選択信号に対応して上記テレビ用アンテナ１２〜１４からの受信信号のうちのいずれか１つのみを選択してＴＶアンプ１９に出力する。
【０００７】
ＴＶアンプ１９は、セレクタ１７で選択された信号を増幅し、テレビ用出力端子「ＴＶ−ＯＵＴ」より出力する。
【０００８】
デコーダ１８は、第１のコントロール信号端子「ＣＮＴＲＬ１」及び第２のコントロール信号端子「ＣＮＴＲＬ２」より与えられる計２ビットのコントロール信号により上記テレビ用アンテナ１２〜１４のいずれかを選択するための選択信号を作成して上記セレクタ１７へ送出する。
【０００９】
なお、セレクタアンプ１５には、他に電源供給端子「＋Ｂ」及び接地端子「ＧＮＤ」が設けられる。電源供給端子に印加される、例えば１３．２［Ｖ］の電源電圧は、上記ＦＭアンプ１６、ＴＶアンプ１９、及びデコーダ１８に供給される。
【００１０】
このような回路構成にあって、ＦＭ−ＶＩＣＳ用アンテナ１１で受信したＦＭ（多重）放送の信号は、そのまま無条件でＦＭアンプ１６で増幅された後にＦＭ−ＶＩＣＳ用出力端子から図示しないチューナユニットへ直接送出される。
【００１１】
一方、テレビ用アンテナ１２〜１４でそれぞれ受信された各テレビ放送信号のうち、セレクタ１７で選択された１つの信号のみがＴＶアンプ１９で増幅され、テレビ用出力端子から図示しないチューナユニットへ送出される。
【００１２】
図１１は、テレビ専用のセレクタアンプの回路構成を示すものである。同図で、４本のテレビ用アンテナ２１〜２４がセレクタアンプ２５に接続される。
【００１３】
このセレクタアンプ２５は、内部にセレクタ２６、デコーダ２７、及びＴＶアンプ２８を備える。
【００１４】
テレビ用アンテナ２１〜２４で受信された各テレビ放送信号は、共にセレクタ２６に入力される。このセレクタ２６は、デコーダ２７から与えられる選択信号に対応して上記テレビ用アンテナ２１〜２４からの受信信号のうちのいずれか１つのみを選択してＴＶアンプ２８に出力する。
【００１５】
ＴＶアンプ２８は、セレクタ２６で選択された信号を増幅し、テレビ用出力端子「ＴＶ　ＯＵＴ」より出力する。
【００１６】
デコーダ２７は、第１のコントロール信号端子（図では「ＣＮＴＲＬ１」と示す）及び第２のコントロール信号端子（図では「ＣＮＴＲＬ２」と示す）より与えられる計２ビットのコントロール信号により上記テレビ用アンテナ２１〜２４のいずれかを選択するための選択信号を作成して上記セレクタ２６へ送出する。
【００１７】
なお、セレクタアンプ２５には、他に電源供給端子（図では「＋Ｂ」と示す）及び接地端子（ＧＮＤ）が設けられる。電源供給端子に印加される、例えば１３．２［Ｖ］の電源電圧は、上記ＴＶアンプ２８及びデコーダ２７に供給される。
【００１８】
このような回路構成にあって、テレビ用アンテナ２１〜２４でそれぞれ受信された各テレビ放送信号のうち、セレクタ２６で選択された１つの信号のみがＴＶアンプ２８で増幅され、テレビ用出力端子から図示しないチューナユニットへ送出される。
【００１９】
上記図１０及び図１１のいずれにあっても、その時点で選択されているアンテナで受信する電波の強度が一定の閾値を下回った場合に、図示しないチューナユニットが２ビットのコントロール信号を切換ることでセレクタ１７（２６）での選択内容を変更させ、テレビ用アンテナ１２〜１４（２１〜２４）のうちのいずれか他のものでの受信状態に切換えて、得られる電波の強度が上記一定の閾値以上あるか否か判断する。そして、該強度が一定の閾値を下回っている場合には、再度アンテナの切換選択を実行する。
【００２０】
このように、受信感度が低下すると、より高い受信環境にあるアンテナに順次切換えるという択一的なアンテナの切換動作を、テレビ放送信号の例えば垂直同期期間中に実行することで、視聴内容に悪影響を与えることなく、高い受信環境を維持できる。
【００２１】
【発明が解決しようとする課題】
しかしながら、上記図１０、図１１で示した一般的な空間ダイバシティ方式では、複数ｎ本のアンテナを択一的に選択することで、ｎ通りの受信環境の中から一定のレベル以上の受信環境を選択するようにしている。
【００２２】
そのため、個々のアンテナ単独での受信環境以上の受信環境を得ることはできず、より高い受信環境を得るには、アンテナの構成数を増やすか、個々のアンテナをより高性能なものとするより他に方法はなかった。
【００２３】
本発明は上記のような実情に鑑みてなされたもので、その目的とするところは、複数のアンテナを有効に活用して、より高い受信環境を選択することが可能なダイバシティ受信装置及び方法を提供することにある。
【００２４】
【課題を決するための手段】
請求項１記載の発明は、複数のアンテナと、これら複数のアンテナを単独あるいは組合せて選択する選択手段と、この選択手段で選択したアンテナの受信信号を出力する出力手段と、上記選択手段が選択するアンテナの内容を切換えさせる切換制御手段とを具備したことを特徴とする。
【００２５】
このような構成とすれば、複数のアンテナを組合せて同時選択することにより、それらの合成出力が個々のアンテナ単独で得ることのできない受信環境を実現する可能性が充分あり得るため、むやみにアンテナの数を増やさずとも、複数のアンテナを有効に活用して、より高い受信環境を選択できる。
【００２６】
請求項２記載の発明は、上記請求項１記載の発明において、上記複数のアンテナのうちの少なくとも１つは、受信信号の位相を調整させる位相調整手段を有し、上記選択手段は、上記位相調整手段の介在の有無により当該位相調整手段を有したアンテナの受信信号を異なるアンテナの受信信号として取扱うことを特徴とする。
【００２７】
このような構成とすれば、上記請求項１記載の発明の作用に加えて、さらに少ないアンテナ数としながら多数のアンテナの組合せを得ることができ、より高い受信環境を選択できる。
【００２８】
請求項３記載の発明は、複数のアンテナを単独あるいは組合せて選択する選択工程と、この選択工程で選択したアンテナの受信信号を出力する出力工程と、上記選択工程で選択するアンテナの内容を切換えさせる切換制御工程とを有したことを特徴とする。
【００２９】
このような方法とすれば、複数のアンテナを組合せて同時選択することにより、それらの合成出力が個々のアンテナ単独で得ることのできない受信環境を実現する可能性が充分あり得るため、むやみにアンテナの数を増やさずとも、複数のアンテナを有効に活用して、より高い受信環境を実現できる。
【００３０】
【発明の実施の形態】
以下図面を参照して本発明の実施の一形態について説明する。
【００３１】
図１は、ＦＭ−ＶＩＣＳ用及びテレビ用のセレクタアンプの回路構成を示すもので、回路の概略構成においては基本的に上記図１０で示したものとほぼ同様であるので、同一部分には同一符号を付してその説明は省略する。
【００３２】
しかして、ＦＭ−ＶＩＣＳ用アンテナ１１と３本のテレビ用アンテナ１２〜１４とがセレクタアンプ３１に接続される。
【００３３】
このセレクタアンプ３１は、内部にＦＭアンプ１６、セレクタ３２、デコーダ３３、及びＴＶアンプ１９を備える。
【００３４】
テレビ用アンテナ１２〜１４で受信された各テレビ放送信号は、共にセレクタ３２に入力される。このセレクタ３２は、デコーダ３３から与えられる選択信号に対応して上記テレビ用アンテナ１２〜１４からの受信信号のうちの１つ乃至３つを選択して適宜合成し、ＴＶアンプ１９に出力する。
【００３５】
デコーダ３３は、第１乃至第３のコントロール信号端子（図では「ＣＮＴＲＬ１〜３」と示す）より与えられる計３ビットのコントロール信号により上記テレビ用アンテナ１２〜１４を単独あるいは組合せて選択するための選択信号を作成して上記セレクタ３２へ送出する。
【００３６】
上記のような回路構成にあって、このセレクタアンプ３１が接続される図示しないチューナユニットでは、テレビ受信信号の信号レベルを監視して予め設定される閾値を下回った場合にセレクタアンプ３１への上記コントロール信号を切換設定する。
【００３７】
図２は、そのチューナユニットによるコントロール信号の出力制御内容を示すもので、その当初には、例えばテレビ受信信号中の垂直同期パルスに同期して所定の検出タイミングとなるのを待機する（ステップＳ１）。
【００３８】
所定の検出タイミングとなったと判断した時点で、その時点での受信信号のレベルが予め設定した閾値を下回っているか否かを判断し（ステップＳ２）、下回っていなければ、受信信号のレベルがテレビ放送の視聴に充分であるものとして再び上記ステップＳ１からの処理に戻る。
【００３９】
また、上記ステップＳ２で受信信号のレベルが予め設定した閾値を下回っていると判断した場合には、次の垂直同期パルスの入力タイミングに間に合うように、それまでセレクタアンプ３１に送出していたコントロール信号を１ステップ更新するように適宜切換設定した上で（ステップＳ３）、再びステップＳ０１からの処理に戻る。
【００４０】
チューナユニットからの上記コントロール信号を受けるデコーダ３３では、このコントロール信号の切換に従ってこれをデコードし、セレクタ３２がテレビ用アンテナ１２〜１４を単独あるいは組合せて選択するべくセレクタ３２への選択信号を生成する。
【００４１】
すなわち、接続されている３本のテレビ用アンテナ１２〜１４をそれぞれ単独で選択した状態を例えば「２」〜「４」と表記し、また例えば２本のテレビ用アンテナ１２，１３を同時に組合せて設定した状態を例えば「２＋３」と表記するものとすれば、デコーダ３３の生成する選択信号は
「２」「３」「４」「２＋３」「２＋４」「３＋４」「２＋３＋４」
の計７種類の信号を順次循環的に送出し、上記セレクタ３２に対応するアンテナを選択させることとなる。
【００４２】
上記デコーダ３３にチューナユニットから入力されるコントロール信号は３ビットであり、その内容により（２の３乗で）８値をとることができるので、デコーダ３３では簡単なデコード処理により上記７種類の選択信号を得ることができる。
【００４３】
なお、上記デコーダ３３に代えて、３ビットのカウント値「０００（＝０）」〜「１１１（＝７）」を循環的にカウントするリングカウンタを設けるものとすれば、チューナユニットからのコントロール信号は１ビットのみでもよい。
【００４４】
このように、複数のアンテナを単独で使うだけではなく、組合せて同時選択することにより、それらの合成出力が個々のアンテナ単独で得ることのできない受信環境を実現する可能性が充分あり得るため、むやみにアンテナの数を増やさずとも、複数のアンテナを有効に活用して、より高い受信環境を選択できるようになる。
【００４５】
図３は、上記図１に示した構成からＦＭ−ＶＩＣＳ用アンテナ１１とＦＭアンプ１６を削除してテレビ専用にした本発明の実施の一形態に係る他の構成例としてのセレクタアンプ３４の回路構成を示すもので、その他の構成は基本的に上記図１で示したものと同様であるので、同一部分には同一符号を付してその説明は省略する。
【００４６】
このセレクタアンプ３４においても、デコーダ３３はチューナユニットからのコントロール信号の切換に従ってこれを随時デコードし、セレクタ３２がテレビ用アンテナ１２〜１４を単独あるいは組合せて選択するべくセレクタ３２への選択信号を生成する。
【００４７】
この場合、接続されている３本のテレビ用アンテナ１２〜１４をそれぞれ単独で選択した状態を例えば「１」〜「３」と表記し、また例えば２本のテレビ用アンテナ１２，１３を同時に組合せて設定した状態を例えば「１＋２」と表記するものとすれば、デコーダ３３の生成する選択信号は
「１」「２」「３」「１＋２」「１＋３」「２＋３」「１＋２＋３」
の計７種類の信号を順次循環的に送出し、上記セレクタ３２に対応するアンテナを選択させることとなる。
【００４８】
次に、アンテナの数をより少ないものとしながら、多くの種類のアンテナ出力を得ることが可能な変形例の構成について図４により説明する。
【００４９】
図４は、上記図３と同じくテレビ専用のセレクタアンプ３５の回路構成を示すものである。
【００５０】
このセレクタアンプ３５には、２本のテレビ用アンテナ３６，３７が接続され、内部に位相調整器３８、デコーダ３９、ＴＶアンプ４０、及びスイッチ４１〜４３を備える。
【００５１】
テレビ用アンテナ３６で受信されたテレビ放送信号は、スイッチ４１を介して直接ＴＶアンプ４０に送出されるか、またはスイッチ４１より位相調整器３８を介して位相が適宜遅延された後にスイッチ４３を介してＴＶアンプ４０に送出される。
【００５２】
一方、テレビ用アンテナ３７で受信されたテレビ放送信号は、スイッチ４２を介して直接ＴＶアンプ４０に送出される。
【００５３】
これらスイッチ４１〜４３は、いずれもデコーダ３９により切換制御されるものであり、スイッチ４１はテレビ用アンテナ３６とＴＶアンプ４０との間で位相調整器３８を介在する経路としない経路とを択一的に切換え、スイッチ４２はテレビ用アンテナ３７とＴＶアンプ４０の間の経路の開閉切換えを行ない、同様にスイッチ４１〜４３は、位相調整器３８とＴＶアンプ４０の間の経路の開閉切換えを行なう。
【００５４】
位相調整器３８は、例えばコイルとコンデンサとを組合せて入力信号の位相を調整、具体的には一定量だけ遅延させる。
【００５５】
デコーダ３９は、第１のコントロール信号端子（図では「ＣＮＴＲＬ１」と示す）及び第２のコントロール信号端子（図では「ＣＮＴＲＬ２」と示す）より与えられる計２ビットのコントロール信号により上記各スイッチ４１〜４３を切換選択する。
【００５６】
ＴＶアンプ４０は、入力されたテレビ放送信号を増幅し、テレビ用出力端子「ＴＶ　ＯＵＴ」より出力する。
【００５７】
なお、セレクタアンプ３５には、他に電源供給端子（図では「＋Ｂ」と示す）及び接地端子（ＧＮＤ）が設けられる。電源供給端子に印加される、例えば１３．２［Ｖ］の電源電圧は、上記ＴＶアンプ４０及びデコーダ３９に供給される。
【００５８】
このような回路構成にあって、テレビ用アンテナ３６からスイッチ４１を介してＴＶアンプ４０へ直接送出される信号を「１」、テレビ用アンテナ３６，３７からスイッチ４１〜４３を介して位相調整器３８で適宜位相調整されてからスイッチ４３を介してＴＶアンプ４０へ送出される信号を「１′」、テレビ用アンテナ３７からスイッチ４２を介してＴＶアンプ４０へ直接送出される信号を「２」とそれぞれ表記した場合、デコーダ３９の制御により適宜上記スイッチ４１〜４３が切換えられてＴＶアンプ４０に入力される信号は、
「１」「１′」「２」「１＋２」「１′＋２」
の計５種類となる。
【００５９】
デコーダ３９は、各信号中に「１」が含まれていない状態ではスイッチ４１を常に位相調整器３８側に切換えている。同様にデコーダ３９は、各信号中に「１′」が含まれていない状態ではスイッチ４３を開状態に切換え、また「２」が含まれていない状態ではスイッチ４２を開状態に切換えている。
【００６０】
このように、アンテナで受信した信号に対する位相を調整する回路を介在させるか否かを切換選択可能な回路構成とすることにより、さらに少ないアンテナ数としながら実質的には多数のアンテナの組合せを得ることができ、より高い受信環境を選択できる。
【００６１】
次に図５によりＦＭ−ＶＩＣＳ用及びテレビ用の車載受信装置の具体的な製品構成を例示する。同図で、５１，５２は例えば車両（自動車）のフロントガラスの左右各上端に貼着して取付固定するフィルムアンテナであり、透明の樹脂フィルム上に、アンテナ素子パターンとして各２本ずつ、すなわちＶＨＦ−Ｈ，ＵＨＦパターン５１ａ，５２ａとＦＭ−ＶＩＣＳ，ＶＨＦ−Ｌパターン５１ｂ，５２ｂがプリント形成されている。
【００６２】
これら２枚のフィルムアンテナ５１，５２に対し、各２本、計４本の同軸ケーブル５３ａ〜５３ｄが接続される。これら同軸ケーブル５３ａ〜５３ｄは、アンテナ毎に該フィルムアンテナ５１，５２の近傍側で分岐部５４ａ，５４ｂにより２本ずつ取纏められることで配線時の取扱いが容易となるようにしている。
【００６３】
該分岐部５４ａ，５４ｂからはアースプレート５５ａ，５５ｂが延在されるもので、これらアースプレート５５ａ，５５ｂを図示しない車両ボディの鉄板にこれらアースプレート５５ａ，５５ｂを電気的に接続して固定することにより、アンテナ系の配線が接地接続される。
【００６４】
しかるに、同軸ケーブル５３ａ〜５３ｄのフィルムアンテナ５１，５２側の端部には、フィルムアンテナ５１，５２の各パターン５１ａ，５２ａ，５１ｂ，５２ｂと貼着するための端子部が形成され、他方の端部にはセレクタアンプ５６に接続するためのストレートプラグ５３ａ１〜５３ｄ１が形成される。
【００６５】
セレクタアンプ５６には、上記ストレートプラグ５３ａ１〜５３ｄ１を挿入するためのジャック５６ａ１〜５６ｄ１が設けられる他、接地接続のためのアース端子５７、テレビ信号及びＦＭ信号を出力する一方で電源を供給するためのボックスコネクタ５８、及び周波数帯を選択してアンテナ信号を出力するためのアンテナ端子５９が接続される。
【００６６】
次いで図６乃至図９により実際に複数のアンテナを合成して使用した場合の特性をアンテナ単体の特性と比較して測定した結果について例示する。
図６はその測定方法を例示するもので、図６（Ａ）に示すように、送信源のアンテナ６１に正対して、車両６２のフロントガラス６３に貼着したフィルムアンテナが１０［ｍ］の位置となるようにした。
【００６７】
ここでは、図６（Ｂ）に示すようにフロントガラス６３の右上端及び左上端に各１つ、計２つのＶＨＦ−Ｈ帯のフィルムアンテナ「ＲＨ」「ＬＨ」を貼着して取付けるものとし、且つ各フィルムアンテナには「大」「中」「小」３パターンのアンテナ素子を用意し、右上端のアンテナＲＨは「大」パターンのものを固定して使用し、左上端のアンテナＬＨに「大」「中」「小」３パターンから択一的に選択して使用するものとして、２つの周波数９０［ＭＨｚ］と２００［ＭＨｚ］における各相対角度と受信レベルの特性について測定するものとした。
【００６８】
なお、図７乃至図９のいずれの特性図においても、実線で右上端のアンテナＲＨと左上端のアンテナＬＨの合成特性を、一点鎖線で右上端の「大」パターンのアンテナＲＨ単独での特性を、破線で左上端のアンテナＬＨ単独での特性を示す。
【００６９】
図７は、図７（Ａ）に示すように右上端のアンテナＲＨを「大」パターンのものとし、左上端のアンテナＬＨを同じく「大」パターンのものとした場合の受信特性を測定した結果である。
【００７０】
図７（Ｂ）に示す９０［ＭＨｚ］の受信特性では、右上端のアンテナＲＨに「大」パターンのものを単独で使用した場合、及び左上端のアンテナＬＨに「大」パターンのものを単独で使用した場合に比して、右上端の「大」パターンのアンテナ及び左上端の「大」パターンのアンテナＬＨを合成して使用した場合の方が、（＋）１５°付近での落込みを除いて、総じて高い受信レベルとなっており、２つのアンテナの合成出力を有効に活用できる点が容易に理解できる。
【００７１】
一方、図７（Ｃ）に示す２００［ＭＨｚ］の受信特性では、右上端のアンテナＲＨを「大」パターンのものを単独で使用した場合、及び左上端のアンテナＬＨに「大」パターンのものを単独で使用した場合が共に受信レベルが極端に低下する角度範囲を有しているのに比して、右上端の「大」パターンのアンテナ及び左上端の「大」パターンのアンテナＬＨを合成して使用した場合の方が、０°付近及び（±）１８０°付近のごく狭い角度範囲の落込みを除いて、全体に高い受信レベルとなっており、２つのアンテナの合成出力を有効に活用できる点が理解できる。
【００７２】
図８は、図８（Ａ）に示すように右上端のアンテナＲＨを「大」パターンのものとし、左上端のアンテナＬＨを「中」パターンのものとした場合の受信特性を測定した結果である。
【００７３】
図８（Ｂ）に示す９０［ＭＨｚ］の受信特性では、右上端のアンテナＲＨに「大」パターンのものを単独で使用した場合が全体に良好な受信レベルを得ており、反対に左上端のアンテナＬＨに「中」パターンのものを単独で使用した場合は全体に受信レベルが低調なものとなっているのに比して、右上端の「大」パターンのアンテナ及び左上端の「中」パターンのアンテナＬＨを合成して使用した場合の方は、それほど全体で良好な受信レベルを得るものではないが、例えば＋８０°〜＋１３５°付近では右上端のアンテナＲＨに「大」パターンのものを単独で使用した場合の受信レベルを越えており、２つのアンテナの合成出力も部分的にではあるが有効に活用できる点が理解できる。
【００７４】
一方、図８（Ｃ）に示す２００［ＭＨｚ］の受信特性では、右上端のアンテナＲＨに「大」パターンのものを単独で使用した場合は全体に受信レベルが低調なものとなっており、反対に左上端のアンテナＬＨに「中」パターンのものを単独で使用した場合が全体に良好な受信レベルを得ているのに比して、右上端の「大」パターンのアンテナ及び左上端の「中」パターンのアンテナＬＨを合成して使用した場合の方は、例えば−４５°〜−１０°付近及び＋２０°〜＋８５°付近ではそれぞれ上記アンテナを単独で使用した場合の受信レベルを越えており、２つのアンテナの合成出力も部分的には有効に活用できる点が理解できる。
【００７５】
図９は、図９（Ａ）に示すように右上端のアンテナＲＨを「大」パターンのものとし、左上端のアンテナＬＨを「小」パターンのものとした場合の受信特性を測定した結果である。
【００７６】
図９（Ｂ）に示す９０［ＭＨｚ］の受信特性では、右上端のアンテナＲＨに「大」パターンのものを単独で使用した場合が全体に良好な受信レベルを得ており、反対に左上端のアンテナＬＨに「小」パターンのものを単独で使用した場合はまったく受信レベルが低調なものとなっているのに比して、右上端の「大」パターンのアンテナ及び左上端の「小」パターンのアンテナＬＨを合成して使用した場合の方は、それほど全体で良好な受信レベルを得るものではないが、例えば＋９５°〜＋１２０°付近では右上端のアンテナＲＨに「大」パターンのものを単独で使用した場合の受信レベルを越えており、２つのアンテナの合成出力も部分的にではあるが有効に活用できる点が理解できる。
【００７７】
一方、図９（Ｃ）に示す２００［ＭＨｚ］の受信特性では、右上端のアンテナＲＨに「大」パターンのものを単独で使用した場合は全体に受信レベルが低調なものとなっており、反対に左上端のアンテナＬＨに「小」パターンのものを単独で使用した場合が全体に良好な受信レベルを得ているのに比して、右上端の「大」パターンのアンテナ及び左上端の「小」パターンのアンテナＬＨを合成して使用した場合の方は、例えば−５０°〜−１０°付近及び＋２５°〜＋８５°付近ではそれぞれ上記アンテナを単独で使用した場合の受信レベルを越えており、２つのアンテナの合成出力も部分的に有効に活用できる点が理解できる。
【００７８】
このように、複数のアンテナを組合せて同時選択することにより、それらの合成出力が個々のアンテナ単独では得ることのできない受信環境を実現する可能性が充分あり得る。そのため、むやみにアンテナの数を増やさずとも、複数のアンテナを有効に活用することで、より高い受信環境を実現できる。
【００７９】
なお、上記実施の形態では、複数のアンテナのパターンや数、及び組合せ等についてその一部を説明したのみであり、本発明がそれらに限定されるものではないことは勿論である。
【００８０】
その他、本発明は上記実施の形態に限らず、その要旨を逸脱しない範囲内で種々変形して実施することが可能であるものとする。
【００８１】
さらに、上記実施の形態には種々の段階の発明が含まれており、開示される複数の構成要件における適宜な組合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【００８２】
【発明の効果】
請求項１記載の発明によれば、複数のアンテナを組合せて同時選択することにより、それらの合成出力が個々のアンテナ単独で得ることのできない受信環境を実現する可能性が充分あり得るため、むやみにアンテナの数を増やさずとも、複数のアンテナを有効に活用して、より高い受信環境を実現できる。
【００８３】
請求項２記載の発明によれば、上記請求項１記載の発明の効果に加えて、さらに少ないアンテナ数としながら多数のアンテナの組合せを得ることができ、より高い受信環境を選択できる。
【００８４】
請求項３記載の発明によれば、複数のアンテナを組合せて同時選択することにより、それらの合成出力が個々のアンテナ単独で得ることのできない受信環境を実現する可能性が充分あり得るため、むやみにアンテナの数を増やさずとも、複数のアンテナを有効に活用して、より高い受信環境を実現できる。
【図面の簡単な説明】
【図１】本発明の実施の一形態に係るセレクタアンプとその回路周辺の構成を例示するブロック図。
【図２】同実施の形態に係るセレクタアンプに与えられるコントロール信号の切換処理内容を示すフローチャート。
【図３】同実施の形態に係るセレクタアンプとその回路周辺の他の構成例を示すブロック図。
【図４】同実施の形態に係るセレクタアンプとその回路周辺の構成の変形例を示すブロック図。
【図５】同実施の形態に係る車載受信装置の具体的な製品構成を例示する図。
【図６】同実施の形態に係る複数のアンテナの測定条件を示す図。
【図７】同実施の形態に係る複数アンテナの測定結果を例示する図。
【図８】同実施の形態に係る複数アンテナの測定結果を例示する図。
【図９】同実施の形態に係る複数アンテナの測定結果を例示する図。
【図１０】従来のセレクタアンプとその回路周辺の構成を例示するブロック図。
【図１１】従来のセレクタアンプとその回路周辺の構成を例示するブロック図。
【符号の説明】
１１…ＦＭ−ＶＩＣＳ用アンテナ
１２〜１４…テレビ用アンテナ
１５…セレクタアンプ
１６…ＦＭアンプ
１７…セレクタ
１８…デコーダ
１９…ＴＶアンプ
２１〜２４…テレビ用アンテナ
２５…セレクタアンプ
２６…セレクタ
２７…デコーダ
２８…ＴＶアンプ
３１…セレクタアンプ
３２…セレクタ
３３…デコーダ
３４，３５…セレクタアンプ
３６，３７…テレビ用アンテナ
３８…位相調整器
３９…デコーダ
４０…ＴＶアンプ
４１〜４３…スイッチ
５１，５２…フィルムアンテナ
５１ａ，５２ａ…ＶＨＦ−Ｈ，ＵＨＦパターン
５１ｂ，５２ｂ…ＦＭ−ＶＩＣＳ，ＶＨＦ−Ｌパターン
５３ａ〜５３ｄ…同軸ケーブル
５３ａ１〜５３ｄ１…ストレートプラグ
５４ａ，５４ｂ…分岐部
５５ａ，５５ｂ…アースプレート
５６…セレクタアンプ
５６ａ１〜５６ｄ１…ジャック
５７…アース端子
５８…ボックスコネクタ
５９…アンテナ端子
６１…（送信源）アンテナ
６２…車両
６３…フロントガラス
【図１】
2004120654.tif 000003
【図２】
2004120654.tif 000004
【図３】
2004120654.tif 000005
【図４】
2004120654.tif 000006
【図５】
2004120654.tif 000007
【図６】
2004120654.tif 000008
【図７】
2004120654.tif 000009
【図８】
2004120654.tif 000010
【図９】
2004120654.tif 000011
【図１０】
2004120654.tif 000012
【図１１】
2004120654.tif 000013